(57)【要約】【課題】簡単な構造且つ低コストな、緩衝部を備える包装箱を提供する。【解決手段】底板部２と、長側板部３、４と、短側板部５、６を備え、短側板部５、６が一連の段ボールシートが外側から内側に向けて折り重ねられてなる外側板５Ａ、６Ａと内側板５Ｂ、６Ｂとでなり、これら内側板５Ｂ、６Ｂの下縁に段ボールシートが折り曲げられてなる緩衝部５Ｃ、６Ｃを形成した。内側板５Ｂ、６Ｂの両側部に、係止用突起５Ｄ、６Ｄを形成し、長側板部３、４の両側に係止用突起５Ｄ、６Ｄが収納される係止用凹部１２を形成した。【選択図】図１
2005132391.tif 000002
【特許請求の範囲】
【請求項１】
段ボールシートが折り曲げられて、底板部と、該底板の周縁から立ち上がる側板部とが形成された包装箱であって、
前記側板部は、一連の段ボールシートが外側から内側に向けて折り重ねられて、外側板と内側板とでなり、
前記内側板の下縁には、当該内側板と連続する段ボールシートが折り曲げられてなる緩衝部を有し、
前記内側板又は前記緩衝部の両側部に、係止用突起が形成され、前記内側板もしくは前記緩衝部の両側に配置される側板部の段ボールシートには、前記係止用突起が収納される係止用凹部が形成されていることを特徴とする包装箱。
【請求項２】
前記係止用凹部は、前記側板部の最内側の段ボールシートの内側ライナーが切り込まれて、ジグザグ状に介在されたインナー部材が外側ライナー側に押し潰されて形成されていることを特徴とする請求項２記載の包装箱。
【発明の詳細な説明】
【技術分野】
【０００１】
本発明は包装箱に関し、さらに詳しくは段ボールを折り曲げ加工して形成された包装箱に関する。
【背景技術】
【０００２】
従来、電気製品や電子機器等の製品を収納する包装箱としては、段ボール箱が広く用いられている。これら製品の段ボール箱としては、保管時或いは搬送時に衝撃を受けて、故障したり表面が損傷する等の不都合を防止するために、内部に緩衝部材が配置されている。
【０００３】
従来の段ボール箱では、発泡スチロール等の緩衝部材を別途用意して製品に敷いたり、製品の周りに緩衝部材を添える等の対策が講じられている。
【０００４】
また、他の従来技術として、例えばアート紙や段ボール等のシート材を適切な展開図形に形成して、これを折り曲げて要所を接着して緩衝部が折り込まれた包装箱が知られている（例えば、特許文献１参照。）。
【０００５】
さらに、他の従来技術としては、段ボールを所定の展開図形にフラップを形成してこれを１８０°折り曲げて緩衝部を箱内部に形成し、この緩衝部の上に製品を載置収納するものが知られている。このようなフラップ折り曲げ部と包装箱では、フラップ折り曲げ部の反発が易いため、フラップ折り曲げ部と包装箱内面とを圧接させるように設計されたものがある。
【０００６】
【特許文献１】特開平１０−７１２７号公報（第５頁、図５）
【発明の開示】
【発明が解決しようとする課題】
【０００７】
しかしながら、上述した発泡スチロール等の緩衝部材を別途用いる従来のものでは、包装箱内に緩衝部材を配置する作業が煩雑であり、また搬送時に緩衝部材が包装箱で移動してしまう場合があった。このような緩衝部材が包装箱内で移動することを防止するために、包装箱内に接着したり、包装箱内で移動できない程度に大きな緩衝部材を用いる場合があるが、コスト高となる問題点があった。
【０００８】
また、上述したようにアート紙や段ボール等のシート材を折り込んで緩衝機能を持たせる従来の包装箱では、フラップ折り曲げ部と包装箱内面とは紙同士の摩擦でフラップ折り曲げ部の反発による浮き上がりを防いでいるため、抑えきれない場合も多かった。
【０００９】
そこで、本発明の目的は、緩衝部材等を別途必要とせず、展開図形において折り曲げ部分を新たに追加することのない低コストな包装箱を提供することにある。
【００１０】
また、本発明の他の目的は、折り曲げ部材が浮き上がることを確実に防止できる形状安定性の高い包装箱を提供することにある。
【課題を解決するための手段】
【００１１】
請求項１記載の発明は、段ボールシートが折り曲げられて、底板部と、該底板の周縁から立ち上がる側板部とが形成された包装箱に関するものである。
【００１２】
この発明に係る包装箱は、前記側板部が、一連の段ボールシートが外側から内側に向けて折り重ねられて、外側板と内側板とでなり、前記内側板の下縁には、当該内側板と連続する段ボールシートが折り曲げられてなる緩衝部を有し、前記内側板又は前記緩衝部の両側部に、前記段ボールシートの厚さ寸法よりも短い係止用突起が形成され、前記内側板もしくは前記緩衝部の両側に配置される側板部の段ボールシートには、前記係止用突起が収納される係止用凹部が形成されていることを特徴としている。
【００１３】
請求項２記載の発明は、請求項２記載の包装箱に関するものである。この発明に係る包装箱は、前記係止用凹部が、前記側板部の最内側の段ボールシートの内側ライナーが切り込まれて、ジグザグ状に介在されたインナー部材が外側ライナー側に押し潰されて形成されていることを特徴としている。
【発明の効果】
【００１４】
本発明によれば、箱内部に配置される緩衝部の浮き上がりを回避でき、収納物を円滑に包装できる。
【００１５】
また、本発明によれば、別途緩衝部材等を用いることなく、しかも簡単な構造としたことにより、低コストで緩衝機能を有する良質な包装箱を実現することができる。
【００１６】
さらに、本発明によれば、簡単な構造であるため、組み立ての作業性を大幅に向上することができる。
【００１７】
また、本発明によれば、突起と凹部の嵌合部がコンパクトになるため、外観の良好な包装箱を得ることができる。
【発明を実施するための最良の形態】
【００１８】
本発明を実施するための最良の形態に係る包装箱は、段ボールシートが折り曲げられて、底板部と、該底板の周縁から立ち上がる側板部とが形成された構成である。
【００１９】
そして、箱の周囲に立ち上がるように形成される側板部は、一連の段ボールシートが外側から内側に向けて折り重ねられた外側板と内側板とで構成される。
【００２０】
また、側板部を構成する内側板の下縁には、この内側板と連続する段ボールシートが折り曲げられてなる緩衝部が設けられている。
【００２１】
そして、内側板の両側部には、係止用突起が突設されている。この係止用突起は、内側板と同じ一連の段ボールシートで形成されている。また、この係止用突起の突出寸法は、内側板の幅に応じて設定されるが、例えば、内側板の幅が側板部の内側寸法と同等ならば段ボールシートの厚さ寸法よりも短く設定される。
【００２２】
さらに、この係止用突起が設けられている内側板の両側に配置される側板部の段ボールシートには、係止用突起と対応する位置に、この係止用突起が収納される係止用凹部が形成されている。
【００２３】
なお、この係止用凹部は、側板部の最内側（一枚の段ボールシートで形成されている場合もある）の段ボールシートの内側ライナーが切り込まれて、ジグザグ状に介在されたインナー部材が外側ライナー側に押し潰されて形成されている。
【００２４】
このように、本実施の形態では、側板部の係止用凹部に係止用突起を嵌合させることにより内側板とこれを挟む両側の側板部とが簡単且つ確実に係合される。
【００２５】
また、本実施の形態では、段ボールシートの内側ライナーが切り込まれて、ジグザグ状に介在されたインナー部材が外側ライナー側に押し潰されて形成されているため、段ボールシートの複雑な展開図形を設計する必要もない。
【００２６】
なお、上述のように内側板の両側部に係止用突起を設けてもよいし、若しくは緩衝部の両側部に係止用突起を設ける構成としてもよい。
【実施例】
【００２７】
以下、本発明の実施例に係る包装箱の詳細を図１〜３に基づいて説明する。この実施例に係る包装箱１は、一枚の段ボールシートを展開図形に切断したものを組み立てることにより構成されている。
【００２８】
本実施例に係る包装箱１は、図１及び図３に示すように、長方形状の底板部２と、この底板部２の長辺から立ち上がるように形成された一対の長側板部３、４と、底板部２の短辺から立ち上がるように形成された一対の短側板部５、６と、長側板部４の上縁に連続して形成され且つその上縁で折り曲げられた、底板部２と略同じ大きさの長方形に形成された蓋板部７とで大略構成されている。
【００２９】
長側板部３、４は、それぞれの両側縁で、隣接する、短側板部５、６の後述する外側板５Ａ、６Ａの側縁と、一体となるように折り曲げ若しくは接着されている。一方の長側板部３の上縁中央には、係止舌部８が折り曲げ自在に設けられている。蓋板部７の自由端側の縁部の中央には、蓋板部７を閉じたときに、一方の長側板部３の内側に差し込まれる差し込み片９が折り曲げ自在に形成されている。また、この差し込に片９の折り曲げ部１０の中央には、上記係止舌部８が挿入される被係止用スリット１１が形成されている。
【００３０】
また、図１に示すように、長側板部３、４の両側縁の下端から所定の高さ位置の極近傍には、係止用凹部１２が形成されている。この係止用凹部１２は、図２に示すように、側板部３、４を構成する段ボールシートの内側ライナーＤ１が後述する係止用突起５Ｄ（６Ｄ）の形状に切り込まれて、ジグザグ状に介在されたインナー部材Ｄ２が外側ライナーＤ３側に押し潰されて形成されている。なお、図２は、図１における一点鎖線で囲んだ平面Ｓで切断した状態を示す斜視図である。
【００３１】
短側板部５は、外側板部５Ａと内側板部５Ｂとで形成されている。これら外側板部５Ａと内側板部５Ｂとは、一連の段ボールシートで形成されたものであり、内側板部５Ｂは、外側板部５Ａの上縁で箱内側へ折り曲げられた部分である。また、この内側板部５Ｂは、外側板部５Ａよりも長さが短く設定されている。
【００３２】
また、この内側板部５Ｂの自由端側の縁部には、緩衝部５Ｃが形成されている。この緩衝部５Ｃは、内側板部５Ｂと連続した段ボールシートで形成されたものであり、緩衝機能を有するように折り重ねて形成されている。なお、図３に示すように、この緩衝部５Ｃには、箱内に配置された状態で上部における、収納物２０を載置する位置に、収納物２０を保持できるように収納凹部５Ｅが形成されている。この収納凹部５Ｅは、緩衝部５Ｃを構成する段ボールシートを予め切り欠いて形成されている。
【００３３】
なお、内側板部５Ｂの長さは、上述のように折り重ねて形成される緩衝部５Ｃの高さ寸法に応じて決定されるものであり、本実施例では、内側板部５Ｂの長さ寸法と緩衝部５Ｃの高さ寸法とを足すと外側板部５Ａの長さ（高さ）寸法と略同じとなるように設定されている。
【００３４】
そして、図１に示すように、この内側板部５Ｂの自由端側の両側部には、この包装箱１の母材となる段ボールシートの厚さ寸法よりも僅かに短い係止用突起５Ｄ、５Ｄが側方に突設されている。
【００３５】
短側板部６の構造は、上述した短側板部５と同様であるため、図面に同様の符合を付してその説明は省略する。
【００３６】
本実施例に係る包装箱１を組み立てるには、所定の展開形状に切断された段ボールシートを底板部２を取り囲むように、長側板部３、４と短側板部５、６を折り込み所定の場所を接着等の手法、若しくは差し込み片の差し込み係合により、立ち上がるように形成する。その後、短側板部５、６を折り込みにより形成する。例えば、短側板部５であれば、外側板部５Ａの上縁で内側板部５Ｂを箱内側へ向けて１８０°折り曲げて外側板部５Ａの内側面に重ね合わせる。
【００３７】
そして、内側板部５Ｂを撓ませて、内側板部５Ｂの両側部に突設した係止用突起５Ｄを係止用凹部１２内に押し込むことにより、内側板部５Ｂは長側板部３、４に係止、固定される。このとき、係止用凹部１２は、段ボールシートに形成されているため、係止用突起５Ｄを押し込む際に係止用凹部１２の周囲が僅かに変形しても、元の状態に略復元することができ、係止作用を確実に得ることができる。
【００３８】
上述のように、本実施例によれば、内側板部５Ｂ、６Ｂを確実に係止できるため、箱内部に配置される緩衝部５Ｃの浮き上がりを回避でき、収納物２０を円滑に包装できる。
【００３９】
また、本実施例によれば、発泡スチロール等の緩衝部材を別途用意する必要がなく、しかも簡単な構造であるため、低コストで緩衝機能を有する良質な包装箱１を実現することができる。
【００４０】
さらに、本実施例によれば、包装箱１の展開形状を複雑にすることがなく、簡単な構造であるため、組み立ての作業性を大幅に向上することができる。
【００４１】
また、本実施例によれば、係止用突起５Ｄ、６Ｄと係止用凹部１２の嵌合部がコンパクトになるため、外観の良好な包装箱１を得ることができる。
【００４２】
（その他の実施例）
以上、実施例について説明したが、本発明はこれに限定されるものではなく、構成の要旨に付随する各種の設計変更が可能である。
【００４３】
例えば、上述の実施例では、係止用突起５Ｄ、６Ｄを内側板部５Ｂ、６Ｂに形成したが、緩衝部５Ｃ、６Ｃに突設する構成としてもよい。
【００４４】
また、本発明は、包装箱１が形状が上述したような直方体形状のものだけではなく、各種形状の箱に適用できることは云うまでもない。
【産業上の利用可能性】
【００４５】
本発明は、包装箱を用いる各種の分野で利用可能であり、特に包装箱の製造分野で利用することができる。
【図面の簡単な説明】
【００４６】
【図１】本発明の実施例に係る包装箱を示し、内側板部を内側へ折り曲げる前の状態を示す斜視図である。
【図２】図１における一点鎖線で示す平面Ｓで切断した状態を示す要部斜視図である。
【図３】本実施例に係る包装箱に収納物を収納する状態を示す斜視図である。
【符号の説明】
【００４７】
１……包装箱、２……底板部、３，４……長側板部、５，６……短側板部、５Ａ，６Ａ……外側板、５Ｂ，６Ｂ……内側板部、５Ｃ，６Ｃ……緩衝部、５Ｄ，６Ｄ……係止用突起、１２……係止用凹部
【図１】
2005132391.tif 000003
【図２】
2005132391.tif 000004
【図３】
2005132391.tif 000005